(57)【要約】      （修正有）【課題】異なる環境温度においてもフリッカが発生しないＯＣＢ型の液晶表示装置を提供することを目的とする。【解決手段】スプレイ配向からベンド配向へ転移させる転移電圧を互いに極性の異なる前半パルスと後半パルスから構成し、前半パルスの幅と後半パルスの幅の比率を、検知した環境温度と共に変える。前半パルスの幅と後半パルスの幅の比率を0.5〜1.0の間で変化させる。【選択図】      図１
2007333988.tif 000002
【特許請求の範囲】
【請求項１】
ＯＣＢ型の液晶パネルと、
この液晶パネルの周囲の温度を検出する温度検出手段と、
前記ＯＣＢ型の液晶パネルの液晶をスプレイ配向からベンド配向へ転移させる転移電圧を印加する転移電圧印加手段と、
を備え、前記転移電圧印加手段における前記転移電圧は、互いに極性の異なる前半パルスと後半パルスとから構成され、前記前半パルスの幅Ｌ１と前記後半パルスの幅Ｌ２の比率Ｌ２／Ｌ１を前記検出温度が高いほど小さくするようにした
ことを特徴とする液晶表示装置。
【請求項２】
前記比率Ｌ２／Ｌ１を、０．５〜１．０の間で変化させる
ことを特徴とする請求項１記載の液晶表示装置。
【請求項３】
ＯＣＢ型の液晶パネルと、
この液晶パネルの周囲の温度を検出する温度検出手段と、
前記ＯＣＢ型の液晶パネルの液晶をスプレイ配向からベンド配向へ転移させる転移電圧を印加する転移電圧印加手段と、
を備え、前記転移電圧印加手段における前記転移電圧は、互いに極性の異なる前半パルスと後半パルスとから構成され、前記前半パルスの電圧値Ｖ１の絶対値｜Ｖ１｜と前記後半パルスＬ２の電圧値Ｖ２の絶対値｜Ｖ２｜の比率｜Ｖ２｜／｜Ｖ１｜を前記検出温度が高いほど小さくするようにした
ことを特徴とする液晶表示装置。
【請求項４】
前記比率｜Ｖ２｜／｜Ｖ１｜を、０．５〜１．５の間で変化させる
ことを特徴とする請求項３記載の液晶表示装置。
【請求項５】
ＯＣＢ型の液晶パネルと、
この液晶パネルの周囲の温度を検出する温度検出手段と、
前記ＯＣＢ型の液晶パネルの液晶をスプレイ配向からベンド配向へ転移させる転移電圧を印加する転移電圧印加手段と、
を備え、前記転移電圧印加手段における前記転移電圧は、互いに極性の異なる前半パルスと後半パルスとから構成され、前記前半パルスの積分値Ｓ１と前記後半パルスの積分値Ｓ２の比率Ｓ２／Ｓ１を前記検出温度が高いほど小さくするようにした
ことを特徴とする液晶表示装置。
【請求項６】
前記比率Ｓ２／Ｓ１を、０．５〜１．５の間で変化させる
ことを特徴とする請求項５記載の液晶表示装置。
【発明の詳細な説明】
【技術分野】
【０００１】
本発明は、液晶テレビ、液晶モニター、等に用いられる液晶表示装置に関するものである。
【背景技術】
【０００２】
従来、液晶表示装置はＴＮ型液晶表示装置が一般的に用いられてきた。しかし、最近においては高速応答を特徴とするＯＣＢ型液晶表示装置が提案されている（例えば、非特許文献１参照）。
【０００３】
このＯＣＢ型液晶表示装置は基板間にＯＣＢ液晶が挟持されており、この基板上には電圧印加手段として透明電極が形成されている。電源を入れる前の状態ではこの液晶の配向状態はスプレイ配向と呼ばれる状態をなしている。この機器の電源を入れる時などに、この電圧印加手段に比較的大きな電圧を短時間に印加して、液晶の配向をベンド配向状態に転移させる。このベンド配向状態を用いて表示を行うことがＯＣＢ型液晶表示モードの特徴である。この転移のため電圧波形は表示状態の電圧に比べ大きく、長時間の印加が必要でありＤＣ的になるので、＋側と−側の両極に電位を振り分けて交流化し、更に転移波形終了直後の表示時にＤＣが残ってフリッカが発生しないように、両極の電圧印加期間についても環境温度などに基づいて最適化を行っている（例えば、特許文献１参照）。
【０００４】
図６に基づいてＯＣＢ型液晶表示装置についてさらに説明する。
【０００５】
ＯＣＢ型液晶表示装置は、液晶１０１がアレイ基板１０２，対向基板１０２の間に挟持されており、その基板の外側に位相差板１０３、偏光板１０４を有している。ここで両基板１０２，１０２には配向処理を施して、液晶分子が図のように並ぶようにパラレル配向処理がなされている。電圧を印加しない状態では液晶はスプレイ配向であり（図６（ａ））。このスプレイ配向を表示に用いるベンド配向状態に転移させる（図６（ｂ））。この転移を行うために、比較的大きな転移電圧、例えば２５Ｖ程度を液晶層に印加している。
【非特許文献１】社団法人電気通信学会  信学技報  ＥＤＩ９８−１４４  １９９頁
【特許文献１】特開２００２−６２８４号公報
【発明の開示】
【発明が解決しようとする課題】
【０００６】
しかしながら、ＤＣによるフリッカの発生は液晶パネル内に存在するイオンの種類や量によって異なり、環境温度が異なるとこれらのイオンの移動速度も異なるため、転移波形の最適化を行った温度と異なる環境温度では、フリッカが発生するという問題点があった。
【０００７】
そこで、本願発明は上記問題点に鑑み、異なる環境温度においてもフリッカが発生しないＯＣＢ型の液晶表示装置を提供することを目的とする。
【課題を解決するための手段】
【０００８】
請求項１に係る発明は、ＯＣＢ型の液晶パネルと、この液晶パネルの周囲の温度を検出する温度検出手段と、前記ＯＣＢ型の液晶パネルの液晶をスプレイ配向からベンド配向へ転移させる転移電圧を印加する転移電圧印加手段と、を備え、前記転移電圧印加手段における前記転移電圧は、互いに極性の異なる前半パルスと後半パルスとから構成され、前記前半パルスの幅Ｌ１と前記後半パルスの幅Ｌ２の比率Ｌ２／Ｌ１を前記検出温度が高いほど小さくするようにしたことを特徴とする液晶表示装置である。
【０００９】
請求項３に係る発明は、ＯＣＢ型の液晶パネルと、この液晶パネルの周囲の温度を検出する温度検出手段と、前記ＯＣＢ型の液晶パネルの液晶をスプレイ配向からベンド配向へ転移させる転移電圧を印加する転移電圧印加手段と、を備え、前記転移電圧印加手段における前記転移電圧は、互いに極性の異なる前半パルスと後半パルスとから構成され、前記前半パルスの電圧値Ｖ１の絶対値｜Ｖ１｜と前記後半パルスＬ２の電圧値Ｖ２の絶対値｜Ｖ２｜の比率｜Ｖ２｜／｜Ｖ１｜を前記検出温度が高いほど小さくするようにしたことを特徴とする液晶表示装置である。
【００１０】
請求項５に係る発明は、ＯＣＢ型の液晶パネルと、この液晶パネルの周囲の温度を検出する温度検出手段と、前記ＯＣＢ型の液晶パネルの液晶をスプレイ配向からベンド配向へ転移させる転移電圧を印加する転移電圧印加手段と、を備え、前記転移電圧印加手段における前記転移電圧は、互いに極性の異なる前半パルスと後半パルスとから構成され、前記前半パルスの積分値Ｓ１と前記後半パルスの積分値Ｓ２の比率Ｓ２／Ｓ１を前記検出温度が高いほど小さくするようにしたことを特徴とする液晶表示装置である。
【発明の効果】
【００１１】
本発明によれば、転移電圧の前半パルスと後半パルスを検出温度によって変化させることにより、フリッカの発生を防止することができる。
【発明を実施するための最良の形態】
【００１２】
以下、本発明の第１の実施形態のＯＣＢ型の液晶表示装置１０について図１〜図４に基づいて説明する。
【００１３】
液晶表示装置１０の構成について図１に基づいて説明する。
【００１４】
液晶表示装置１０は、アレイ基板１２と対向基板１４とを有し、両基板１２，１４の間に液晶（ＯＣＢモードの液晶）が挟持されている。
【００１５】
アレイ基板１２は、ガラス基板上に複数本の信号線１６と複数本の走査線１８が直交するように配され、信号線１６と走査線１８の交差部近傍にポリシリコンからなる薄膜トランジスタ（以下、ＴＦＴという）２０が形成され、画素がマトリックス状に配置されている。そして、信号線１６が各ＴＦＴ２０のソース電極に、走査線１８が各ＴＦＴ２０のゲート電極に接続されている。また、各ＴＦＴ２０のドレイン電極が画素電極に接続されている。
【００１６】
複数本の信号線１６は、信号線ドライバー回路２２から映像信号である液晶駆動電圧が供給され、複数本の走査線１８は走査線ドライバー回路２４からゲート信号が入力され、ＴＦＴ２０を駆動させる。
【００１７】
アレイ基板１２上のマトリクス状の各画素においては、ＯＣＢモードの液晶をスプレイ配向からベンド配向に転移させるための電圧である転移電圧を印加するための転移核部を有している。この転移核部は、画素電極を構成しているＩＴＯから構成され、画素電極の電位と同電位である。
【００１８】
なお、画素電極は蓄積容量を形成する電極を有し、これが前段の走査線１８と結合することで容量結合する構成としてもよい。
【００１９】
信号線ドライバー回路２２と走査線ドライバー回路２４は、コントローラ２６によって制御されている。また、このコントローラ２６には、デジタル式の温度センサ２８の検出温度に関する検出温度信号が入力される。この温度センサ２８は、コントローラ２６が取り付けられているプリント配線基板上に取り付けられている。
【００２０】
次に、転移電圧の印加方法について図２〜図４に基づいて説明する。
【００２１】
液晶表示装置１０の電源をオンしたときに、信号線ドライバー回路２２の中にある転移回路が動作する。まず、温度センサ２８によって環境温度を検出して、コントローラ２６にその検出温度信号を出力する。コントローラ２６では、パルス状の転移電圧に用いるクロックカウントを決定し、それに応じて転移電圧の前半パルスと後半パルスの波形の長さ（各極性のパルスのバルス幅）を決める。これにしたがって対向基板１４の対向電極に印加する電圧も変化させる。
【００２２】
図４は、電源をオン状態にしたときの電位の状態を示す図である。
【００２３】
ソース電圧の中心を５Ｖとして−７Ｖ〜＋７Ｖの範囲で駆動させる。ゲート電圧は、−６Ｖ〜＋１２Ｖで駆動させる。画素電位が０Ｖとなるように対向電位及びソース電位を共に＋５Ｖとした０．４秒のリセット期間を設けた後、転移電圧の前半パルスとして対向電極に−２０Ｖ、０．３５秒を印加し、さらに転移電圧の後半パルスとして＋３０Ｖ、０．２５秒印加する。
【００２４】
このとき、本実施形態では、互いに極性の異なる後半パルスの幅と前半パルスの幅との比率を環境温度によって変化させる。すなわち、前半のパルス及び後半のパルスの電位は変えずに、各環境温度において転移波形終了後のフリッカが発生しない最適な波形を調べると、図３の表のようになった。図４は、その環境温度と前半パルスの幅と後半パルスの幅の比率をプロットした図である。
【００２５】
例えば、０℃では、前半パルスの幅を０．６５秒、後半パルスの幅を０．６秒とし、パルス幅の比率を０．９２とすれば、フリッカが発生しない。また、３０℃では、前半パルスの幅を０．３５秒、後半パルスの幅を０．２５秒とした場合、パルス幅の比率が０．７１となり、同じくフリッカが発生しない。
【００２６】
このように、環境温度によって前後半パルスの幅を制御することで、どのような環境温度でも転移波形終了後にフリッカが発生することがない。
【００２７】
次に、第２の実施形態のＯＣＢ型の液晶表示装置１０について図５に基づいて説明する。
【００２８】
第１の実施形態では、転移電圧の前半パルスの幅と後半パルスの幅の比率を変化させたが、本実施形態では、どの環境温度においてもそのパルスの幅の比は同じに設定し、パルス電位の比率を変化させるものである。これについて、図５のグラフに基づいて説明する。図５は、前後半パルスの電位の絶対値と環境温度との関係を示す図である。
【００２９】
転移電圧として前半パルスの電位を−２０Ｖ（基準電位との電位差２５Ｖ）及び前半パルスと後半パルスの幅の比を０．７１とし、各環境温度における電位差の比を図５のように調整した場合、転移波形終了後のフリッカの発生状態を防止することができる。
【００３０】
次に、第３の実施形態のＯＣＢ型の液晶表示装置１０について説明する。
【００３１】
第３の実施形態では、転移電圧における前半パルスの積分値と後半パルスの積分値の比率を環境温度に合わせてコントロールすることにより、フリッカを防止することができる。即ち、前半パルスの面積Ｓ１と後半パルスの面積Ｓ２の比率を求め、環境温度の上昇と共にその比率が小さくなるようにすることにより、例えば、前記比率Ｓ２／Ｓ１を、０．５〜１．５の間で変化させることにより、フリッカを防止することができる。
【００３２】
本発明は上記各実施形態に限らず、その主旨を逸脱しない限り種々に変更することができる。
【図面の簡単な説明】
【００３３】
【図１】本発明の液晶表示装置の第１の実施形態を示すブロック図である。
【図２】第１の実施形態における転移電圧の波形図である。
【図３】環境温度と前半パルスの幅及び後半パルスの幅とパルス幅の比率を示した表である。
【図４】環境温度と前後半パルス幅の比率の関係を示すグラフである。
【図５】第２の実施形態における環境温度と前後半パルス電位差の比率の関係を示すグラフである。
【図６】スプレイ配向からベンド配向への転移の説明図である。
【符号の説明】
【００３４】
１０  液晶表示装置
１２  アレイ基板
１４  対向基板
２６  コントローラ
２８  温度センサ
【図１】
2007333988.tif 000003
【図２】
2007333988.tif 000004
【図３】
2007333988.tif 000005
【図４】
2007333988.tif 000006
【図５】
2007333988.tif 000007
【図６】
2007333988.tif 000008